(57)【特許請求の範囲】
【請求項１】
前方が開口した容器状のバケットの前側に位置されるブレードと、ブレードの背面下側に設けられてバケットのエッジに被嵌されるキャップと、ブレードの背面上部に設けられてバケットの側板を挾持し得る挾持機構と、から構成し、挾持機構は、ブレードの背面上部に設けられてその一部がバケットの側板に当合し得るプレートと、プレートに設けられたブラケットと、ブラケットに俯仰可能に設けられたアームと、アームの先部に調整移動可能に設けられてプレートとの間でバケットの側板を挾持し得るクランプと、ブラケットに俯仰可能に設けられたリンクと、先部がアームに回動可能に枢結されると共に先部寄りの部分がリンクに回動可能に枢結されてブラケットとアームとリンクとでクランプを挾持状態に保ち得る両てこ機構を為すレバーと、から構成されている事を特徴とする脱着式ブレード装置。
【発明の詳細な説明】
【０００１】
【発明の属する技術分野】
本発明は、例えばホイールローダ等の作業車両に装着されて除雪作業等の排土作業に用いられる脱着式ブレード装置の改良に関する。
【０００２】
【従来の技術】
従来、この種の脱着式ブレード装置としては、例えば実開昭５９−３５４５２号に記載されたものが知られている。
これは、前方が開口した容器状のバケットと、バケットの開口を閉塞すべく位置されるブレードと、ブレードの背面下側に設けられてバケットのエッジに被嵌されるキャップと、ブレードの背面上部に設けられてバケットの側板に螺着される螺着機構と、から構成されている。
螺着機構は、具体的には、バケットの側板の外側に位置される取付板と、これに穿設されたボルト挿通孔と、バケットの側板に螺設されたねじ穴と、ボルト挿通孔に挿通されてねじ穴に螺合されるボルトとから成っている。
而して、この様なものは、キャップがバケットのエッジに被嵌されると共に、取付板がバケットの側板の外側に位置すべくブレードがバケットの開口を完全に閉塞すべく位置された後、螺着機構のボルトがボルト挿通孔に挿通されてねじ穴に螺合される事に依りブレードがバケットに装着される。
【０００３】
【発明が解決しようとする課題】
ところが、この様なものは、螺着機構を為すねじ穴をバケットに螺設せねばならないと共に、螺着機構を為すボルトをボルト挿通孔に挿通してねじ穴に螺合せねばならないので、ブレードをバケットに装着するのに手間が掛かる難点があった。
本発明は、叙上の問題点に鑑み、これを解消する為に創案されたもので、その課題とする処は、バケットに何ら加工をする必要がないと共に、それでいてブレードをバケットに簡単に装着できる様にした脱着式ブレード装置を提供するにある。
【０００４】
【課題を解決するための手段】
本考案の脱着式ブレード装置は、前方が開口した容器状のバケットと、バケットの前側に位置されるブレードと、ブレードの背面下側に設けられてバケットのエッジに被嵌されるキャップと、ブレードの背面上部に設けられてバケットの側板を挾持し得る挾持機構と、から構成した事に特徴が存する。
【０００５】
キャップがバケットのエッジに被嵌されると共に、挾持機構にてバケットの側板が挾持される事に依りブレードがバケットの前側に装着される。従って、ブレードに依り除雪作業等の排土作業を行なう事ができる。
前述の逆の手順に依りブレードをバケットから離脱すれば、バケットに依り掘削作業を行なう事ができる。
挾持機構に依りバケットの側板を挾持する様にしたので、バケットには、何ら加工をする必要がなく、それでいてブレードをバケットに簡単に装着できる。
【０００６】
ブレードは、排土姿勢にされて掘削姿勢にされたバケットの前側に位置されているのが好ましい。この様にすれば、ブレードを装着した際には、直ちに排土作業が行なえる。
【０００７】
挾持機構は、ブレードの背面上部に設けられてその一部がバケットの側板に当合し得るプレートと、プレートに設けられたブラケットと、ブラケットに横軸廻りに俯仰可能に設けられたアームと、アームの先部に調整移動可能に設けられてプレートとの間でバケットの側板を挾持し得るクランプと、ブラケットに横軸廻りに俯仰可能に設けられたリンクと、先部がアームに横軸廻りに回動可能に枢結されると共に前寄部がリンクに横軸廻りに回動可能に枢結されてブラケットとアームとリンクとでクランプを挾持状態に保ち得る両てこ機構を為すレバーと、から構成されているのが好ましい。この様にすれば、レバーの俯仰操作だけに依り挾持と解除がワンタッチで行なえるので、操作が簡単であると共に、部品を紛失する惧れもない。
【０００８】
【発明の実施の形態】
以下、本発明の実施の形態を、図面に基づいて説明する。
図１は、本発明の脱着式ブレード装置を示す側面図。第２図は、キャップを示す斜視図。図３は、挾持機構の解除状態を示す側面図。図４は、挾持機構の挾持状態を示す側面図である。
【０００９】
脱着式ブレード装置１は、バケット２、ブレード３、キャップ４、挾持機構５とからその主要部が構成されている。
【００１０】
バケット２は、前方が開口した容器状のもので、この例では、側面略横Ｕ型の背底板６と、これに付設された左右の側板７と、背底板６の前側上部に突設されたスピルプレート８と、背底板６の前側下部に着脱可能に設けられたエッジ（ツース）９と、背底板６の後側に突設された取付板１０，１１とから成っている。
バケット２は、その取付板１０，１１がホイールローダ等の作業車両のブームとこれに設けたダンプシリンダ（何れも図示せず）に取付けられ、ブームに依り昇降すると共に、ダンプシリンダに依り俯仰する様になっている。
【００１１】
ブレード３は、バケット２の前側に位置されるもので、この例では、凹状に彎曲した彎曲板１２と、これの後側に付設された左右の側板１３とから成って居り、図１に示す如く、直立した排土姿勢にされて掘削姿勢にされたバケット２の前側に位置されている。
【００１２】
キャップ４は、ブレード３の背面下側に設けられてバケット２のエッジ９に被嵌されるもので、この例では、左右に一対あって、側面略横Ｕ型を呈し、開口を後側にしてブレード３の彎曲板１２の後側に丸棒１４を介して溶接されていると共に、ブレード３の側板１３の下側に溶接されている。
【００１３】
挾持機構５は、ブレード３の背面上部に設けられてバケット２の側板７を挾持し得るもので、この例では、左右に一対あって、ブレード３の背面上部に設けられてその一部がバケット２の側板７に当合し得るプレート１５と、プレート１５に設けられたブラケット１６と、ブラケット１６に横軸廻りに俯仰可能に設けられたアーム１７と、アーム１７の先部に調整移動可能に設けられてプレート１５との間でバケット２の側板７を挾持し得るクランプ１８と、ブラケット１６に横軸廻りに俯仰可能に設けられたリンク１９と、先部がアーム１７に横軸廻りに回動可能に枢結されると共に前寄部がリンク１９に横軸廻りに回動可能に枢結されてブラケット１６とアーム１７とリンク１９とでクランプ１８を挾持状態に保ち得る両てこ機構を為すレバー２０とから成っている。前記横軸とは、ブラケット１６やアーム１７やリンク１９やレバー２０の長手方向に直角で且つアーム１７やレバー２０の俯仰方向である上下方向に直角な左右横方向の軸、つまりプレート１５に平行な軸を意味し、図１に於ては、プレート１５に平行で右上から左下に斜め方向に延びる軸であり、図３及び図４に於ては、紙面に垂直な軸である。又、前寄部とは、前部（先部）に近いこれより後側の部分、つまり前部（先部）寄りの部分を意味し、図３及び図４に於ては、レバー２０の先部（前部）近傍でこれより後側の部分である。
プレート１５は、ブレード３の彎曲板１２の背面上部に上下の連結材２１を介して設けられて居り、バケット２の両側板７の内側に当合すべく位置される。アーム１７は、垂直片とこれの上端から前方に延伸した水平片とから成る略Ｌ型を呈し、垂直片の上下がレバー２０とブラケット１６に枢結される。クランプ１８は、ボルトにしてあり、アーム１７の水平片に螺設された螺孔に調整移動可能に螺合されてその頭部がバケット２の両側板７の外側に当合される。
【００１４】
次に、この様な構成に基づいてその作用を述解する。
図１に示す如く、キャップ４がバケット２のエッジ９に被嵌されると共に、挾持機構５にてバケット２の側板７が挾持される事に依りブレード３がバケット２の前側に装着される。つまり、挾持機構５のレバー２０が図３の仰起状態から図４の俯伏状態まで俯動される。そうすると、レバー２０とリンク１９に依りアーム１７が俯動されてクランプ１８がバケット２の側板７に当合され、これの反対側に位置するプレート１５との間でバケット２の側板７が挾持される。この時、レバー２０とリンク１９は、所謂トグル機構を為すので、アーム１７及びクランプ１８が挾持状態に保たれる。ブレード３がバケット２の前側に装着されると、ブレード３に依り除雪作業等の排土作業を行なう事ができる。
前述の逆の手順に依りブレード３をバケット２から離脱すれば、バケット２に依り掘削作業を行なう事ができる。
挾持機構５に依りバケット２の側板７を挾持する様にしたので、バケット２には、何ら加工をする必要がなく、それでいてブレード３をバケット２に簡単に装着できる。
【００１５】
ブレード３は、図１に示す如く、排土姿勢にされて掘削姿勢にされたバケット２の前側に位置されるので、従来の様にバケット２の開口を完全に閉塞すべく位置されるものに比べて、排土作業を行なう際に逐一バケット２を俯動させてブレード３を排土姿勢にする必要がなく、ブレード３を装着したならば、直ちに排土作業が行なえると共に、バケット２を俯動させない分だけ前方視界が良好になって排土作業が行ない易くなる。
【００１６】
尚、挾持機構５は、先の例では、所謂両てこ機構を利用したものであったが、これに限らず、例えばカム機構や楔機構等を利用したものでも良い。
挾持機構５は、先の例では、プレート１５がバケット２の両側板７の内側でクランプ１８が外側に位置する様にしたが、これに限らず、例えばこれらを逆にしても良い。
【００１７】
【発明の効果】
以上、既述した如く、本発明に依れば、次の様な優れた効果を奏する事ができる。
（１）  バケット、ブレード、キャップ、挾持機構とで構成し、とりわけブレードの背面上部にバケットの側板を挾持し得る挾持機構を設けたので、バケットに何ら加工をする必要がないと共に、それでいてブレードをバケットに簡単に装着できる。
【図面の簡単な説明】
【図１】本発明の脱着式ブレード装置を示す側面図。
【図２】キャップを示す斜視図。
【図３】挾持機構の解除状態を示す側面図。
【図４】挾持機構の挾持状態を示す側面図。
【符号の説明】
１…脱着式ブレード装置、２…バケット、３…ブレード、４…キャップ、５…挾持機構、６…背底板、７…側板、８…スピルプレート、９…エッジ、１０，１１…取付板、１２…彎曲板、１３…側板、１４…丸棒、１５…プレート、１６…ブラケット、１７…アーム、１８…クランプ、１９…リンク、２０…レバー、２１…連結材。
【図１】
0003779851.tif 000002
【図２】
0003779851.tif 000003
【図３】
0003779851.tif 000004
【図４】
0003779851.tif 000005